(57)【要約】      （修正有）【課題】デザイン性に優れており斬新さや意外性を発現できる、携帯電子機器のスタンドを提供する。【解決手段】スマートフォン又は携帯型コンピュータ等の携帯電子機器を載置するためのスタンド１１であって、該スタンド１１は、シリコーン素材で弾性を有して膨出した形状に形成され、表面の一部に携帯電子機器を載置する載置部１３を有し、底部に開口部１４を有し、内部に空間部１５を備える。さらに、載置部１３は、裏面にリング状の肉薄部１６が形成され、該肉薄部１６に囲繞された円状部１７を有しており、当該載置部１３に携帯電子機器を載置するとその重量で当該載置部１３が凹み、携帯電子機器を取り去ると当該載置部１３が基の状態に膨らむ構成である。【選択図】図９
0003180157.tif 000002
【実用新案登録請求の範囲】
【請求項１】
スマートフォン又は携帯型コンピュータ等の携帯電子機器を載置するためのスタンドであって、
該スタンドは、シリコーン素材で弾性を有して膨出した形状に形成され、表面の一部に前記携帯電子機器を載置する載置部を有し、底部に開口部を有し、内部に空間部を備えてなり、
前記載置部は、裏面にリング状の肉薄部が形成され、該肉薄部に囲繞された円状部を有しており、
当該載置部に携帯電子機器を載置するとその重量で当該載置部が凹み、携帯電子機器を取り去ると当該載置部が基の状態に膨らむ構成であること
を特徴とするスタンド。
【請求項２】
前記開口部の縁部における正面側と背面側とには、前記携帯電子機器に接続したケーブルを挿通するための切欠き部又は挿通孔が形成されること
を特徴とする請求項１に記載のスタンド。
【請求項３】
前記挿通孔には、ガイド用の溝部が連接されること
を特徴とする請求項２に記載のスタンド。
【考案の詳細な説明】
【技術分野】
【０００１】
本考案は、スマートフォン（高機能携帯電話）や携帯型コンピュータ等の携帯電子機器を載置するためのスタンドに関するものである。
【背景技術】
【０００２】
従来のスマートフォン用のスタンドとしては、次のような構成のものが知られている。このスタンドは、可撓性のある板体を曲げ加工して背板部と底板部とを形成し、背板部の表面には、スマートフォンを載置するための吸着ラバーを貼着した構成である（特許文献１参照）。
【０００３】
また、次のような構成のスタンドも知られている。このスタンドは、板体を折り曲げて前面部と後面部と底面部とを形成し、前面部と後面部との間には、スマートフォンを挿入して載置するための開口部を設けた構成である（特許文献２参照）。
【先行技術文献】
【特許文献】
【０００４】
【特許文献１】実用新案登録第３１７８３２３号公報
【特許文献２】実用新案登録第３１７４４３３号公報
【考案の概要】
【考案が解決しようとする課題】
【０００５】
これら従来例のスマートフォン用のスタンドにおいては、構造が簡単であるという利点がある反面、旧来から知られているような変哲もない形状であって、デザイン性に劣り、斬新さや目新しさが発現されないという欠点を有している。
【０００６】
また、これらのスタンドは、スマートフォンを載置して充電等を行うときに、余分なケーブルやコネクタ類を収納しておくスペースが無い。従って、充電時にはバラけたケーブルが現れたままであり、見栄えが悪いという欠点も有している。
【０００７】
従って、従来例におけるスタンドにおいては、デザイン性を向上させて、斬新さや意外性を発現することと、余分なケーブル類を収納するスペースを設けることとに解決しなければならない課題を有している。
【課題を解決するための手段】
【０００８】
前記従来例の課題を解決するための本考案の要旨は、スマートフォン又は携帯型コンピュータ等の携帯電子機器を載置するためのスタンドであって、該スタンドは、シリコーン素材で弾性を有して膨出した形状に形成され、表面の一部に前記携帯電子機器を載置する載置部を有し、底部に開口部を有し、内部に空間部を備えてなり、前記載置部は、裏面にリング状の肉薄部が形成され、該肉薄部に囲繞された円状部を有しており、当該載置部に携帯電子機器を載置するとその重量で当該載置部が凹み、携帯電子機器を取り去ると当該載置部が基の状態に膨らむ構成である。
【０００９】
また、前記開口部の縁部における正面側と背面側とには、前記携帯電子機器に接続したケーブルを挿通するための切欠き部又は挿通孔が形成されること、；
前記挿通孔には、ガイド用の溝部が連接されること、；
を含むものである。
【考案の効果】
【００１０】
本考案に係るスタンドによれば、シリコーン素材で弾性を有して膨出した形状に形成されており、従来では考えられないような斬新で新規な形状で、デザイン性に極めて優れており、意外性や目新しさを充分に発現することができる。
また、載置部に携帯電子機器を載置するとその重量で当該載置部が凹み、携帯電子機器を取り去ると当該載置部が基の状態に膨らむ構成であって、使用時における意外性や目新しさを実感することができるだけでなく、携帯電子機器を安定した状態で載置部に載置できる。
特に、シリコーン素材で一体成形されるので、当該シリコーン素材の特性によって携帯電子機器が滑り落ちにくく、また、凹んだ後の膨らむ復元力が優れている。
そして、内部に空間部を備えているので、充電時等に余分なケーブルやコネクタ類を空間部へ収納しておくことができることとなり、見栄えが良好であるという種々の優れた効果を奏する。
【００１１】
開口部の縁部における正面側と背面側とには、携帯電子機器に接続したケーブルを挿通するための切欠き部又は挿通孔が形成されることによって、充電時等に空間部へケーブルを収納するときに便利であるという優れた効果を奏する。
【００１２】
挿通孔には、ガイド用の溝部が連接されることによって、溝部に沿ってケーブルを移動して当該ケーブルを挿通孔に挿通できるので、手順が簡単であるという優れた効果を奏する。
【図面の簡単な説明】
【００１３】
【図１】本考案に係るスタンド１１の正面図である。
【図２】本考案に係るスタンド１１の背面図である。
【図３】本考案に係るスタンド１１の平面図である。
【図４】本考案に係るスタンド１１の底面図である。
【図５】図１の中央縦断面である。
【図６】本考案に係るスタンド１１の斜視図である。
【図７】本考案に係るスタンド１１の斜視図である。
【図８】本考案に係るスタンド１１の載置部が凹んだ状態の斜視図である。
【図９】本考案に係るスタンド１１の載置部が凹んだ状態の中央縦断面である。
【図１０】スマートフォンを載置した状態の斜視図である。
【図１１】スマートフォンを載置した状態の正面図である。
【図１２】スマートフォンを載置した状態の右側面図である。
【図１３】スマートフォンを載置した状態の断面図である。
【考案を実施するための形態】
【００１４】
次に、本考案の実施の形態について図面を参照しながら説明する。まず、図１から図９において、符号１１はスタンドを示し、このスタンド１１は、全体的にシリコーン素材で弾性を有して膨出した形状に一体成形されており、表面の一部に携帯電子機器１２を載置する載置部１３を有し、底部に開口部１４を有し、内部に空間部１５を備えてなる。
【００１５】
携帯電子機器１２は具体的には、スマートフォン（高機能携帯電話）、携帯電話機、携帯型コンピュータ、携帯型ゲーム機等である。スタンド１１は、これらの携帯電子機器１２を載置部１３に載置して使用する。
【００１６】
載置部１３は、図５、図７から図９に示すように、裏面にリング状の肉薄部１６が形成されており、この肉薄部１６に囲繞される円状部１７を有している。
【００１７】
このような構成の載置部１３は、当該載置部１３に携帯電子機器１２を載置するとその重量で当該載置部１３が凹み（図８及び図９参照）、そして、携帯電子機器１２を取り去ると当該載置部１３が基の状態に膨らむこととなる（図５及び図６参照）。なお、図８及び図９における符号１６ａは、肉薄部１６の表面側を示す。
【００１８】
このように載置部１３が陥没及び膨出自在に形成されることによって、使用時における意外性や目新しさを実感できると共に、携帯電子機器１２を安定した状態で載置部１３に載置できる。
特に、シリコーン素材で一体成形されるので、当該シリコーン素材の特性によって携帯電子機器１２が滑り落ちにくく、また、凹んだ後の膨らむ復元力が良好である。
【００１９】
開口部１４は、図４及び図７に示すように、円形状に形成されており、その内部には、図５及び図９に示すように、空間部１５を備えている。この空間部１５は、図１３に示すように、充電時等に余分なケーブル１８やコネクタ類を巻回して収納できるので、当該ケーブル１８がバラけたりせずに見栄えが良好となる。
【００２０】
開口部１４の縁部における正面側には、図１に示すように、携帯電子機器１２に接続したケーブル１８を挿通するための切欠き部１９が形成される。また、開口部１４の縁部における背面側には、図２に示すように、ケーブル１８を挿通するための挿通孔２０が形成される。
【００２１】
このように、切欠き部１９及び挿通孔２０を有することによって、充電時等に空間部１５へケーブル１８を収納するときに便利である（図１３参照）。
【００２２】
挿通孔２０には、図２及び図４に示すように、ガイド用の溝部２１が連接される。この溝部２１は、当該溝部２１に沿ってケーブル１８を移動して挿通孔２０に挿通できるので、手順が簡単である。
【００２３】
以上のように構成されるスタンド１１は、シリコーン素材で弾性を有して膨出した形状に形成されており、従来では考えられないような斬新で新規な形状であって、デザイン性に極めて優れており、意外性や目新しさを充分に発現することができる。
【産業上の利用可能性】
【００２４】
本考案のスタンド１１は、スマートフォンや携帯型コンピュータ等の携帯電子機器を載置するためのスタンドであるが、これらの携帯電子機器以外にも、例えば書籍類、手帳、手鏡、薬品類のような、様々な販売品や広告品等を載置して展示するのにも好適なスタンド１１である。
【符号の説明】
【００２５】
１１  スタンド
１２  携帯電子機器
１３  載置部
１４  開口部
１５  空間部
１６  肉薄部
１６ａ  肉薄部の表面側
１７  円状部
１８  ケーブル
１９  切欠き部
２０  挿通孔
２１  溝部
【図１】
0003180157.tif 000003
【図２】
0003180157.tif 000004
【図３】
0003180157.tif 000005
【図４】
0003180157.tif 000006
【図５】
0003180157.tif 000007
【図６】
0003180157.tif 000008
【図７】
0003180157.tif 000009
【図８】
0003180157.tif 000010
【図９】
0003180157.tif 000011
【図１０】
0003180157.tif 000012
【図１１】
0003180157.tif 000013
【図１２】
0003180157.tif 000014
【図１３】
0003180157.tif 000015